(57)【要約】【課題】磁気を持ち、経絡の流れから身体機能を活発にし得るとともに、良好な組立安定性、着け心地を具備する健康磁気胸パッドを提供する。【解決手段】本考案の健康磁気胸パッドは、パッド体１、少なくとも１つの磁性体２、外側被覆体３を含み、パッド体１は、柔軟性を具備する弾性材質で製造され、少なくとも１つの収容溝１１が設けられており、収容溝１１は凹部１１１を有し、凹部１１１は上方に開口１１２を有し、下方に底壁１１３を有する。少なくとも１つの磁性体２は、パッド体１の収容溝１１の凹部１１１位置に設けられ、磁性体２の負極方向を底壁１１３に対応させている。外側被覆体３は、パッド体１の外側表面１０を被覆している。これにより、本考案は胸部の引き立てと人体の健康向上効果を兼ねた胸パッドを提供することができる。【選択図】図１
0003231784.tif 000002
【実用新案登録請求の範囲】
【請求項１】
柔軟性を具備する弾性材質で製造されており、外側表面を有し、前記外側表面には内側に向かって少なくとも１つの収容溝が設けられ、前記収容溝は凹部を有し、前記凹部は上方に開口を有し、下方に底壁を有する、パッド体と、
前記パッド体の収容溝の凹部位置に設けられ、負極方向を前記底壁に対応させた、少なくとも１つの磁性体と、
前記パッド体の外側表面を被覆する、外側被覆体と、
を含む、健康磁気胸パッド。
【請求項２】
前記磁性体の磁束は２６００〜５０００ガウスである、請求項１に記載の健康磁気胸パッド。
【請求項３】
前記パッド体の開口の直径は前記凹部よりも小さく、前記開口の周縁には前記磁性体を抑え得る抑え壁が形成されている、請求項１に記載の健康磁気胸パッド。
【請求項４】
前記パッド体の材質は、スチレン−エチレン／ブチレン−スチレン共重合体（ＳＥＢＳ）、熱可塑性エラストマー（ＴＰＥ）、シリコーンゴムまたは熱可塑性ゴム（ＴＰＲ）のいずれかである、請求項１に記載の健康磁気胸パッド。
【請求項５】
前記収容溝は複数であり、各前記収容溝毎に前記磁性体が収容され、隣接する各前記磁性体同士の距離は７ｃｍ未満である、請求項１に記載の健康磁気胸パッド。
【請求項６】
前記外側被覆体は布である、請求項１に記載の健康磁気胸パッド。
【請求項７】
前記磁性体は磁石であって永久磁石であり、前記磁石はネオジム磁石であり、前記磁石はゲルマニウム成分を含む、請求項１に記載の健康磁気胸パッド。
【考案の詳細な説明】
【技術分野】
【０００１】
本考案は健康磁気胸パッドに関し、特に磁気エネルギーを持ち、良好な組立安定性、着け心地を具備する胸パッドに関するものである。
【背景技術】
【０００２】
女性のラインや服装の美感を向上させるために、現在では、胸部下方にＵ字型の胸パッドを設ける。それにより、胸パッドが胸部を高く支持できるようにして垂れ下がりを防ぎ、美しい胸部曲線を呈するようにさせることが可能であり、胸部が重力により垂れ下がる速度を遅らせることができる。
【０００３】
胸パッドは主に、フォーム、シリコーンゴム又は他の軟質材料で製造されており、胸部下方に設けられ、胸部を支持する際に柔軟な快適性を具備し得る。しかし、ただラインの美感を向上させるだけの機能しか具備しておらず、人体の健康に対するメリットがないため、依然としてさらなる向上・改善が求められている。
【考案の概要】
【考案が解決しようとする課題】
【０００４】
本考案は、磁気を持ち、経絡の流れから身体機能を活発にし得るとともに、良好な組立安定性、着け心地を具備する胸パッドを提供することを目的としている。
【課題を解決するための手段】
【０００５】
本考案は、パッド体、少なくとも１つの磁性体、外側被覆体を含み、パッド体は、柔軟性を具備する弾性材質で製造され、外側表面を有し、外側表面には内側に向かって少なくとも１つの収容溝が設けられており、収容溝は凹部を有し、凹部は上方に開口を有し、下方に底壁を有する。少なくとも１つの磁性体は、パッド体の収容溝の凹部位置に設けられ、磁性体の負極方向を底壁に対応させている。外側被覆体は、パッド体の外側表面を被覆している。
【０００６】
好ましくは、磁性体の磁束は２６００〜５０００ガウスである。
【０００７】
好ましくは、パッド体の開口の直径は凹部よりも小さく、開口周縁には磁性体を抑え得る抑え壁が形成されている。
【０００８】
好ましくは、収容溝は複数であり、各収容溝毎に磁性体が収容され、隣接する各磁性体同士の距離は７ｃｍ未満である。
【考案の効果】
【０００９】
本考案の胸パッドは、人体胸部の下方に設けられ、且つパッド体の収容溝の底壁方向を胸部に対応させて当接させることができる。磁性体は柔軟なパッド体内に設けられ、皮膚に当接せず、良好な着け心地を具備することができる。磁性体の負磁気が人体の皮下組織において胸部の血液循環、細胞及び新陳代謝の活性化を促進することができ、人体の健康を増進させ得る。
【図面の簡単な説明】
【００１０】
【図１】本考案の分解図である。
【図２】本考案の組立図である。
【図３】本考案の組立断面及び実施概念図である。
【図４】本考案の別の分解図である。
【図５】本考案の別の組立断面図である。
【考案を実施するための形態】
【実施例】
【００１１】
図１〜３を参照する。本考案は、パッド体１、２つの磁性体２、外側被覆体３を含み、パッド体１は、柔軟性を具備する弾性材質で製造される。その材質はスチレン−エチレン／ブチレン−スチレン共重合体（ＳＥＢＳ）か、熱可塑性エラストマー（ＴＰＥ）か、シリコーンゴムか、熱可塑性ゴム（ＴＰＲ）でよく、且つ湾曲形状体を呈している。パッド体は、外側表面１０を有し、外側表面１０には内側に向かって２つの収容溝１１が設けられており、各収容溝１１は凹部１１１を有する。凹部１１１は上方に、直径が凹部１１１よりも小さな開口１１２を有し、下方に底壁１１３を有する。開口１１２の周縁には抑え壁１１４が形成されており、隣接する収容溝１１同士の距離は７ｃｍ未満である。
【００１２】
２つの磁性体２は、磁石、永久磁石でよい。磁石はネオジム磁石でよく、磁石はゲルマニウム成分を含むことができ、それぞれパッド体１の収容溝１１の凹部１１１位置に設けられる。且つ２つの磁性体２同士の距離は７ｃｍ未満であり、磁性体２の負極方向を底壁１１３に対応させている。組立後には磁性体２の片側が抑え壁１１４に当接して収容溝１１から外れないようにすることができる。磁性体２は円形状体又は図４、５に示すような中空環状の磁性体４でよく、その磁束は２６００〜５０００ガウスでよい。
【００１３】
外側被覆体３は、布又は他の軟質材料でよい。パッド体１の外側表面１０を被覆可能であり、磁性体２がパッド体１から外れないよう確保することができ、良好な組立安定性を具備し得る。
【００１４】
本考案の胸パッドは、人体胸部の下方に設けられ、且つパッド体１の収容溝１１の底壁１１３方向を胸部に対応させて当接させることがでる。磁性体２は柔軟なパッド体１内に設けられ、皮膚に当接せず、良好な着け心地を具備することができる。磁性体２は２６００〜５０００ガウスを有し、人体において適度に作用する磁束を有しており、磁束が高すぎて人体に危害が及んだり、磁束が低すぎて効果がはっきりしなかったりすることがない。２つの磁性体２は７ｃｍ以内の間隔を有し、２つの磁性体２の間隔内に適度な磁力を持たせることができる。本考案における磁性体２の負磁気が人体の皮下組織において胸部の血液循環、細胞及び新陳代謝の活性化を促進することができ、人体の健康を増進させる効果を有することができる。
【００１５】
本考案は、上述によって胸部の引き立てと人体の健康向上効果を兼ねた胸パッドを提供することができる。上述の実施例は本考案を例示するものであり、決して本考案を限定するものではなく、本考案の精神に基づく同等の効果が得られる改変はすべて本考案の範囲に属する。
【符号の説明】
【００１６】
１  パッド体
１０  外側表面
１１  収容溝
１１１  凹部
１１２  開口
１１３  底壁
１１４  抑え壁
２  磁性体
３  外側被覆体
４  磁性体
【図１】
0003231784.tif 000003
【図２】
0003231784.tif 000004
【図３】
0003231784.tif 000005
【図４】
0003231784.tif 000006
【図５】
0003231784.tif 000007